【事件の表示】
　特許第３２０４４７５号「液晶表示器の製造方法」の請求項１に係る特許に対する特許異議の申立てについて、次のとおり決定する。
【結　論】
　訂正を認める。
　特許第３２０４４７５号の請求項１に係る特許を維持する。
【理　由】
１．手続の経緯
　特許第３２０４４７５号の請求項１に係る発明についての出願は、平成５年１１月９日に特許出願され、平成１３年６月２９日にその発明について特許の設定登録がなされ、その後、その特許について、異議申立人大沢敏昭より特許異議の申立てがなされ、取消理由が通知され、その指定期間内である平成１４年７月１６日に訂正請求がなされた後、訂正請求書の不備について補正すべき旨の指令がなされ、その指定期間内である平成１４年９月１１日に手続補正書が提出されたものである。
　　　
２．訂正の適否についての判断
ア．訂正請求に対する補正の適否について
　上記手続補正書による補正は、
（１）訂正請求書中の「訂正の理由」における「特許請求の範囲の減縮」を、「特許請求の範囲の減縮、及び明りょうでない記載の釈明」と補正する。
（２）訂正請求書第２頁第７行の後に、訂正事項ａとして、『これに伴い、特許請求の範囲の記載と発明の詳細な説明の記載との整合を図るため、明りょうでない記載の釈明を目的として、特許掲載公報【０００５】欄の記載の「液晶材料を塗布し」を、特許請求の範囲の訂正に基づいて「液晶材料を液晶状態で塗布し」と訂正する。』と加入し、訂正請求書中の第２頁第１８行目の後に、請求の原因として、「なお、特許掲載公報【０００５】欄の訂正は、課題を解決するための手段の記載と訂正後の請求項１の記載との整合性を取るためのものであり、明りょうでない記載の釈明である。」と加入する。 
（３）訂正請求書中の第２頁第１０行目の後に、訂正事項ｂとして、『これに伴い、特許請求の範囲の記載と発明の詳細な説明との整合を図るため、明りょうでない記載の釈明を目的として、特許掲載公報【０００５】欄の記載の「硬化させて」を、特許請求の範囲の訂正に基づいて「この液晶材料の加熱中に紫外線を当てて硬化させて」と訂正する。』と加入し、訂正請求書中の第２頁第２５行目の後に、請求の原因として、「なお、特許掲載公報【０００５】欄の訂正は、課題を解決するための手段の記載と訂正後の請求項１の記載との整合性を取るためのものであり、明りょうでない記載の釈明である。」と加入する。
というものであり、これらの補正は、訂正明細書に記載されており訂正請求書に本来記載すべきであるのが明らかであった事項を加入するものであって、訂正請求書の要旨を変更するものでなく、特許法第１３１条第２項の規定に適合する。
イ．訂正の内容
　上記手続補正書により補正された訂正請求書によれば、訂正の内容は次のとおりである。
１）特許請求の範囲の請求項１において「液晶材料を塗布し」とあるのを、「液晶材料を液晶状態で塗布し」と訂正し、「硬化させて」とあるのを、「この液晶材料の加熱中に紫外線を当てて硬化させて」と訂正する。
２）明細書の段落【０００５】において「液晶材料を塗布し」とあるのを、「液晶材料を液晶状態で塗布し」と訂正し、「硬化させて」とあるのを、「この液晶材料の加熱中に紫外線を当てて硬化させて」と訂正する。
ウ．訂正の目的の適否、新規事項の有無及び拡張・変更の存否
　上記訂正事項１）は、明細書の段落【０００６】、【００１２】及び【００１４】の記載に基づいて特許請求の範囲の請求項１の記載における液晶材料の塗布状態及び硬化状態を限定するものであるから、特許請求の範囲の減縮に該当し、新規事項の追加に該当せず、また、実質上特許請求の範囲を拡張し、又は変更するものでもない。
　上記訂正事項２）は、訂正事項１）による訂正との整合を図るため、明細書の段落【０００６】、【００１２】及び【００１４】の記載に基づいて、段落【０００５】の記載を訂正するものであるから、明りょうでない記載の釈明に該当し、新規事項の記載に該当せず、また、実質上特許請求の範囲を拡張し、又は変更するものでもない。
エ．結論
　したがって、上記訂正は、特許法等の一部を改正する法律（平成６年法律第１１６号）附則第６条第１項の規定によりなお従前の例によるとされる特許法第１２０条の４第３項において準用する平成６年法律第１１６号による改正前の特許法第１２６条第１項ただし書及び第２項の規定に適合するので、当該訂正を認める。
　　　
３．特許異議申立てについて
ア．本件発明
　訂正明細書の請求項１に係る発明（以下、本件発明という）は、その請求項１に記載されたとおりの次のものである。
　「基台に配向処理を施してコレステリック液晶を溶解したネマティック液晶性を示す化合物からなる液晶材料を液晶状態で塗布し、この液晶材料の加熱中に紫外線を当てて硬化させて特定波長の円偏光された光を反射するコレステリック液晶層を得る工程と、そのコレステリック液晶層の上方に少なくとも電極膜と配向膜を積層して基板を構成する工程と、その基板と少なくとも電極と配向膜を有する他の基板を重ね合わせてその基板間隔に液晶を充填する工程とを具備したことを特徴とする液晶表示器の製造方法。」
イ．申立ての理由の概要
　特許異議申立人大沢敏昭は、甲第１〜３号証及び参考資料１〜３を提出して、本件発明は、甲第１〜３号証刊行物に各々記載された発明に基づいて当業者が容易に発明をすることができたものであるから、特許法第２９条第２項の規定により特許を受けることができない発明に対して特許されたものである旨主張する。
ウ．各刊行物に記載の発明
刊行物１：特開昭５１−７９４９号公報（甲第１号証刊行物）
　「・・・・本発明においては、偏光装置として光源と液晶セルとの間に配置された直線偏光子を設け反射器としてらせん状構造を有する物質を使用し、かつ液晶セルと反射器との間に円偏光子を配置する。
　この場合９０°ねじれた構造を有する液晶を使用しかつ円偏光子として１／４波長の板片を配置すると好適である。この場合１／４波長板片の側の電極面の特定方向および１／４波長板片の光学軸を１／４波長板片に垂直な軸を中心として４５°相互にずれている。
　らせん状構造を有する物質としては例えば液晶、例えばコレステリツク液晶またはコレステリツクおよびネマテイツク物質の混合物、例えばコレステリル・オレイル・カーボネート（ＣＯＣ）およびｎ−（ｐ−メトキシベンジリジン）−ｐ−ｎ−ブチルアニリン（ＭＢＢＡ）の混合物が適当である。」（第２頁左上欄第１４行〜右上欄第１１行）
　「第１ａ図および第１ｂ図において１は光源を示す。２は直線性偏光子を示し３は単に略線図で示した液晶セルであり、その、特定方向が９０°相互にずれている２個の透明電極４ならびに液晶５の若干の分子を示してある。電極４には液晶分子を配向させる電界形成用の制御電圧が印加される。記号６は１／４波長板片で、その光学軸Ｏは１／４波長板片の側の電極の特定方向に対し１／４波長板片に直交する軸線を中心として±４５°ずらされている。７はコレステリツク液晶の薄層を示し、８は黒色物質製の吸着層を示す。液晶層と吸着層とは共同で反射器を形成する。反射光は観察者１０に達する。」（第２頁左下欄第７〜１９行）
　「この円偏光白色光は反射器９のコレステリツク液晶層７のスペクトル範囲Δλ内では相変化を伴なわないで全反射される、が光の残りの部分、すなわち波長がΔλに等しくない光は殆んど前部完全にコレステリツク液晶層７を通過し黒色物質８により吸収される。」（第２頁右下欄第７〜１３行）
　「さらに液晶層７を固体結晶層に代替することも可能である。この層はらせん状の分子構造を有するようにしさえすればよいので、固体重合中間体または中間体を冷却することにより得られるガラス状固体を代りに使用することができる。」（第３頁左下欄第１６行〜右上欄第１行）
刊行物２：特開昭５９−１１６６１３号公報（甲第２号証）
　「図面においてカラー表示装置の表示パネル１の前面に表示体層２が設けられる。この表示体層２は透明モードと散乱モードとを制御可能なものでなければならない。表示体層２として用いられるものとして液晶や強誘電性透明セラミツクがある。液晶としてはｐ型ネマテイツク液晶にカイラル材を混入したフエイズチエンジ型のもの、ｐ型スメクテイツク液晶にカイラル材を混入した電気熱光学効果型のもの、ｎ型ネマテイツク液晶にイオンドーパントを混入したＤＳＭ型のものなどがあげられるが、要するに透明モードと散乱モードとを制御できるものであればよい。・・・・
　この表示体層２はここではたとえば液晶であるとし、２枚の基板３，４間に保持され、その対向面に表示セグメントを形成するため、セグメント電極５および対向電極６が設けられている。この表示体層２の背後に光散乱層７が配置される。この光散乱層７は、上記表示体層２の表示セグメントに対向する部分が透明または打抜きになっている。・・・・この光散乱層７のさらに背後に光学活性物質層８が設けられる。この光学活性物質層８は可視域の特定波長の光を選択散乱するもので、コレステリツク液晶カイラルネマテイツク液晶、およびこれらの混合液晶のほか、単独では液晶相をとらない光学活性物質や光学活性液晶との混合液晶などの液晶のほか、最近ではコレステリツクカラーを呈し、しかも重合固定化が可能な液晶をポリマーフイルムとしたものが、コレステリツクポリマーフイルムとして知られているので、これを用いてもよい。」（第２頁左上欄第１３行〜左下欄第９行）
刊行物３：特開平５−６１０３９号公報（甲第３号証刊行物）
　「・・・・芳香族単位、多環炭化水素単位およびオルソ置換芳香族単位からなる群より選択された炭化水素環単位を構成成分として含む光学活性なポリエステル、または該炭化水素単位を構成成分として含む液晶性ポリエステルと光学活性化合物を含有する組成物を、透光性基板上形成された配向膜上で該ポリエステルのガラス転移点以上の温度で処理した後、該ポリエステルのガラス転移点温度以下の温度に冷却し、コレステリック構造を固定化することを特徴とする液晶表示素子用視角補償板の製造方法。」（特許請求の範囲請求項１）
　「・・・・本発明によって製造される補償板は、基板に平行な面内の屈折率がほぼ平均化され、かつその平均的な屈折率が厚み方向の屈折率より大きいという三次元屈折率分布を持つ必要がある。面内の屈折率が平均化されるためには、液晶の膜中にねじれ構造が生じていることが必須であり、・・・・また、本発明の補償板は可視域の光に対して透明であるほうが望ましく、コレステリック構造に由来する選択反射光が人間の目で感知しにくい紫外域にあることが好ましい。・・・・本発明の視角補償板の製造方法は、透光性基板上に形成された配向膜上に均一でモノドメインなネマチック配向性を示し、かつその配向状態を容易に固定化できる特定の液晶性ポリエステルに、所定量の光学活性化合物を加えた組成物、または均一でモノドメインなコレステリック配向性を示し、かつその配向状態を容易に固定化できる特定の液晶ポリエステルを、塗布、乾燥、熱処理し、均一でモノドメインなコレステリック構造を形成させたのち冷却することによって、液晶状態における配向を損なうことなく固定化するものである。」（段落【０００６】〜【０００７】）
　「・・・・これらネマチック液晶性ポリマーにらせん構造を誘起するために混合される光学活性化合物について説明すると、代表的な例としてまず光学活性な低分子化合物をあげることができる。光学活性を有する化合物であればいずれも本発明に使用することができるが、ベースポリマーとの相溶性の観点から光学活性な液晶性化合物であることが望ましい。・・・・」（段落【００３４】）
刊行物４：特開昭６３−１２８３１７号公報（参考資料１）
　コレステリック液晶はそのらせん構造のピッチに応じて特定波長の光を選択的に反射すること、ネマチック液晶とのブレンドにより液晶ディスプレイ、温度指示計、温度センサーに応用されること等について記載されている。
刊行物５：特開昭６２−１１６６２９号公報（参考資料２）
　サーモトロピック・コレステリック液晶性を示すポリマーは温度上昇の際に選択反射波長が長波長側にシフトすることについて記載されている。
刊行物６：特開昭６０−１８５９２０号公報（参考資料３）
　コレステリック液晶構造をポリマー中に固定化してフィルム状にした光学物体を撮像素子の前面に配置して、被写体からの光を透過し、逆方向からの光を光学系外へ散乱反射させることについて記載されている。
エ．判断
　本件発明と、各刊行物に記載のものとを対比すると、本件発明においては、「コレステリック液晶を溶解したネマティック液晶性を示す化合物からなる液晶材料を液晶状態で（基台に）塗布し、この液晶材料の加熱中に紫外線を当てて硬化させて特定波長の円偏光された光を反射するコレステリック液晶相を得る」工程を有するものであるが、この点についてはいずれの刊行物にも記載されていず、また、示唆するところもない。
　刊行物１において、反射器の液晶物質としてｎ−（ｐ−メトキシベジリジン）−ｐ−ｎ−ブチルアニリン、室温でネマテツクな液晶およびコレステリツクコレステリル・オレイルカーボネートよりなる混合物を使用すること等について記載され、刊行物２において、光散乱層の背後に設けられる光学活性物質層としてコレステリツク液晶カイラルネマテイツク液晶、およびこれらの混合液晶等を用いることが記載されているが、液晶状態で塗布し、加熱中に紫外線を当てて硬化させることについては記載されていない。
　刊行物３には、液晶表示素子用視角補償板の製造方法において、透光性基板上に形成された配向膜上に均一でモノドメインなネマチック配向性を示し、かつその配向状態を容易に固定化できる特定の液晶性ポリエステルに、所定量の光学活性化合物を加えた組成物、または均一でモノドメインなコレステリック配向性を示し、かつその配向状態を容易に固定化できる特定の液晶ポリエステルを、塗布、乾燥、熱処理し、均一でモノドメインなコレステリック構造を形成させたのち冷却することにより、液晶状態における配向を損なうことなく固定化することが記載されているが、これは視角補償板の面内の屈折率を平均化することを目的としたものであり、コレステリック液晶を溶解したネマティック液晶性を示す化合物からなる液晶材料を液晶状態で塗布し、加熱中に紫外線を当てて硬化させて特定波長の円偏光された光を反射するコレステリック液晶層を得るようにすることを示唆するところはない。
　また、液晶状態で塗布し、加熱中に紫外線を当てて硬化させて特定波長の円偏光された光を反射するコレステリック液晶層を得ることは、刊行物４〜６のいずれにもやはり記載されていず、示唆するところはない。
　しかるに、本件発明は、このコレステリック液晶相を得る工程を含む製造方法とすることにより、明細書に記載の格別な作用効果を奏するものである。
　したがって、本件発明は、刊行物１〜６に各々記載された発明に基づいて当業者が容易に発明をすることができたものではない。
　　　
４．むすび
　以上のとおりであるから、特許異議申立ての理由及び証拠によっては、本件発明についての特許を取り消すことはできない。
　また、他に本件発明についての特許を取り消すべき理由を発見しない。
　よって、結論のとおり決定する。
【異議決定日】
平成１４年９月３０日（２００２．９．３０）
【訂正の要旨】
訂正の要旨
▲１▼　訂正事項ａ
　請求項１記載の「液晶材料を塗布し」を、特許請求の範囲の減縮を目的として「液晶材料を
液晶状態で
　これに伴い、特許請求の範囲の記載と発明の詳細な説明の記載との整合を図るため、明りょうでない記載の釈明を目的として、特許掲載公報【０００５】欄の記載の「液晶材料を塗布し」を、特許請求の範囲の訂正に基づいて「液晶材料を液晶状態で塗布し」と訂正する。
▲２▼　訂正事項ｂ
　請求項１記載の「硬化させて」を、特許請求の範囲の減縮を目的として「
この液晶材料の加熱中に紫外線を当てて
　これに伴い、特許請求の範囲の記載と発明の詳細な説明の記載との整合を図るため、明りょうでない記載の釈明を目的として、特許掲載公報【０００５】欄の記載の「硬化させて」を、特許請求の範囲の訂正に基づいて「この液晶材料の加熱中に紫外線を当てて硬化させて」と訂正する。
（５４）【発明の名称】
液晶表示装置の製造方法
（５７）【特許請求の範囲】
　【請求項１】　基台に配向処理を施してコレステリック液晶を溶解したネマティック液晶性を示す化合物からなる液晶材料を
液晶状態で
この液晶材料の加熱中に紫外線を当てて
【発明の詳細な説明】
　【０００１】
　【産業上の利用分野】
　本発明はコレステリック液晶の波長選択性を利用した液晶表示器の製造方法に関する。
　【０００２】
　【従来の技術】
　従来より電界効果型の液晶表示器は消費電力が小さく薄型の表示器が構成できるという長所をもっていた。このような表示器の代表的なものは特公昭５１−１３６６６号公報に示されるような９０度捩れのツイストネマティック液晶層を直交ニコルで挾持するものや、特開昭６０−１０７０２０号公報に示されるような大きな捩れ角のカイラルネマティック液晶層を偏光軸選択で表示に利用するものがある。しかしこれらは光の利用効率が低くコントラストが低い。
　【０００３】
　これに対して液晶の温度依存性による着色現象を表示に利用する短ピッチのコレステリック液晶表示器の提案もあり、コレステリック液晶のピッチの大きさが透過光の波長依存性をもつことを利用して表示するものである。しかし安定して色制御ができる液晶が未開発で実用になっていない。
　【０００４】
　【発明が解決しようとする課題】
　そこで我々は先に特願平４−３２０７２０号において、表示中は電界を印加しない短ピッチのコレステリック液晶の特定波長の円偏光反射性を利用した液晶表示器を提案した。これはコレステリック液晶を背景にし、その前面に複屈折性を持つ電界効果型液晶層を配置するものである。然し乍らこのようなコレステリック液晶層の形成においては、コレステリック相を呈する高分子液晶をトルエンなどの溶剤に溶解して基板に塗布し溶剤を飛散させて行うのが一般的であったが、溶剤の蒸発に伴って液体状態から液晶状態に変わるため層の相変化と粘度の変化が著しく、コレステリック液晶の配向が均一に行われない場合が多発し、量産性よく製造する方法が確立できていなかった。
　【０００５】
　【課題を解決するための手段】
　本発明はこの様な点に鑑みてなされたもので、基台に配向処理を施してコレステリック液晶を溶解したネマティック液晶性を示す化合物からなる液晶状態の液晶材料を塗布し、この液晶材料の加熱中に紫外線を当てて硬化させて特定波長の円偏光された光を反射するコレステリック液晶層を得る工程と、そのコレステリック液晶層の上方に少なくとも電極膜と配向膜を積層して基板を構成する工程と、その基板と少なくとも電極と配向膜を有する他の基板を重ね合わせてその基板間隔に液晶を充填する工程とにより液晶表示器を製造するものである。
　【０００６】
　【作用】
　これにより、高分子液晶を含む液晶材料は液晶状態で塗布し、その時点で配向規制を受け、そのまま所望の層が形成される。
　【０００７】
　【実施例】
　まず本発明にかかる液晶表示器の構造と表示原理について説明する。
　【０００８】
　図１は本発明における液晶表示器の断面図である。図に於て、１は第１の基板で、特定波長の円偏光された光を高効率に反射する高分子液晶層２を持つ。この高分子液晶層２は板ガラス等からなる基台１１の上に設けられ、選択された波長の円偏光した光を反射する硬化されたコレステリック液晶からなるもので、必要に応じて下地層（図示せず）と保護層１３に挾持されている。３はその高分子液晶層２の上方に設けられた電極膜で、第２の基板の電極とマトリクスを組むためにストライプ状の透明電極層（ＩＴＯ）が平行して複数本設けられている。４はその電極膜３の上方に設けられた液晶分子の配向膜である。５は電極膜５３と配向膜５４とを有する第２の基板である。そして６は第１、第２の基板１、５の間に充填され、配向膜４、５４で配向された液晶層であり、いわゆる電界によって液晶分子の配列が制御でき、それに伴って光学特性が変化するものである。この液晶層６としては、例えば９０度捩れ配向のネマティック液晶層（ＴＮ）や２７０度等の大きな捩れ配向をもつネマティック液晶層（ＳＴＮ）などの電界効果型液晶が利用できる。そして７は、その液晶層６の高分子液晶層２とは反対側に位置する基板５の外側に配置された偏光板であり、第２の基板５自身を偏光特性を持つ基板で構成してもよいことから偏光子と呼ぶこともある。
　【０００９】
　このような構成において、高分子液晶層２は特定な波長に対する右旋（または左旋）に円偏光した光を反射し、液晶層６はその光を電界の有無にしたがって位相を進めながら透過するか別の位相で透過させるかする。例えば高分子液晶層２によって右にπ／４進む光は、無電界時に３π／４進み、電界時にπ／４進む光となって、これが偏光子７によって遮光されもしくは透過され、これにより黒または特定の色の光が観察されることになる。液晶層６に加えて所定のレターデーションを持つ位相板または位相層を積層してもよい。このように高分子液晶層のコレステリック液晶特有な光反射を利用するので、高分子液晶層２として、選択する波長が各々赤、緑、青に対応するものを交互に配置しておけば、カラー表示が行えることとなる。
　【００１０】
　次いで本発明について、具体的に説明する。まず基台１１は板ガラス等を用いることとし、必要に応じて光吸収性の被膜を設けておく。この基台１１にコレステリック液晶層からなる高分子液晶層２を形成する前に配向処理を施すが、これは板ガラス表面を直接こするよりも、ポリイミド樹脂等からなる厚さ１０〜２００ｎｍの下地層を設け、これを綿布などでラビングするのがよい。
　【００１１】
　ついでコレステリック高分子液晶を溶媒に溶解して液晶材料を得、この液晶材料を配向処理のなされた表面の上に塗布する。高分子液晶層２を構成する主剤となるコレステリック液晶は、例えば特開昭５７−１６５４８０号公報や特開昭６１−１３７１３３号公報に示される様な、シロキサンリングに、他のリングとの結合を行う例えばアクリル基と、コレステリック液晶が交互に周囲に結合されたものを利用する。この場合、このコレステリック液晶には表示中に電界を印加しないといってもコレステリックの螺旋方向が光軸に沿っていなければならないので、上述のように配向処理した上に塗布する。溶媒としてはネマティック性を示す液晶化合物または混合物、あるいは高分子液晶を混合することによってネマティック液晶性を示すことになる液体化合物または混合物であって、例えば図２のａ，ｂ，ｃに示すような材料を単独若しくは混合して用いることができる。溶解するときは１０〜３０％濃度程度にするのが好ましい。また保護膜１３を利用する場合、例えば厚さ１００〜１０００ｎｍのポリビニルアルコール等がよい。このような保護膜材を塗布した後８０〜１２０度Ｃの熱処理をするか、またはラビング処理をし、その後高分子液晶層を硬化させる。
　【００１２】
　硬化は真空加熱または室温加熱により、塗布した液晶材料より高分子液晶以外の溶媒を蒸発させる。加熱中に塗布した液晶材料に紫外線を当ててＵＶ硬化させてもよい。コレステリック液晶層はその固有ピッチにより選択された波長の特定の方向の光を反射するので、この架橋硬化によりその固有ピッチが固定され、選択された波長の光に対する高分子液晶層２が形成される。このような高分子液晶層２は厚みが３〜３００μｍとなる。
　【００１３】
　ついでその高分子液晶層２の上方に少なくとも電極膜と配向膜とを積層して基板を構成する。必要に応じて位相層を積層する場合も同様に、例えばポリシロキサンを主鎖とし側鎖にネマティック液晶を有し、適宜紫外線によって架橋する活性基を有したネマティック高分子液晶を溶媒に希釈し、高分子液晶層２若しくはその上の保護層１３の上に塗布し、紫外線を照射して硬化させる。また電極膜３や配向膜４はＩＴＯ膜や、ＴＮ用の配向剤、ＳＴＮ用の配向剤、若しくは強誘電液晶用の配向剤等が用いられる。他方の基板５における配向膜５４や電極膜５３も同様である。そしてこのようにして構成された基板１と他の基板５を重ね合わせて、シール材９で周辺をシールして液晶セルを構成し、滴下法、真空注入法などでその基板１、５の間隔に液晶を充填し、注入口を封止する。液晶層６は上述したように強誘電液晶や、液晶分子が螺旋構造を取るＴＮ、ＳＴＮなどを用いることができる。
　【００１４】
　【発明の効果】
　以上の如く、本発明にあっては特定の波長域の光に着目してその波長域の光を有効に利用するにあたり、液晶状態で塗布し硬化させることで高分子液晶層を得るので、ネマティック・コレステリックの液晶相の相転移だけで、液体からの相転移が含まれないので、粘度の変化も少なく、塗布状態で既に配向処理の影響を受けているので配向が均一となり、表示品位の高い液晶表示器が提供できた。
【図面の簡単な説明】
　【図１】
　本発明の実施例における液晶表示器の断面図である。
　【図２】
　本発明の実施例に用いる溶媒の例示の図である。
　【符号の説明】
　１　第１の基板
　２　高分子液晶層
　３　電極膜
　４　配向膜
　５　第２の基板
　６　液晶層
　７　偏光板（偏光子）